(57)【要約】シートベルトバックル（１２）のための安全装置（１０）を設ける。安全装置は、シートベルトバックルのリリースボタンが押され、このことによりシートベルトストラップ（１０）に連結したインサート（１２）が離脱するのを防止するよう構成する。安全装置は、シートベルトバックルのためのケーシング（１２）を有し、このケーシング（１２）は、リリースボタンにアクセスし易くなるように、変形可能とする。このケーシングは、インサートを収容するよう構成した開孔（３０）を有する。
2008540220.tif 000002
【特許請求の範囲】
【請求項１】
使用にあたり、シートベルトバックルのリリースボタンが押されて、このことによりシートベルトストラップに連結したインサートが離脱するのを防止するよう構成した、シートベルトバックル用安全装置において、シートベルトバックル用のケーシングを有し、このケーシングにはインサートを受容する開孔を設けたことを特徴とする、安全装置。
【請求項２】
請求項１に記載の安全装置において、前記安全装置のケーシングを意図的に変形可能にし、リリースボタンに容易にアクセスできるようにした、安全装置。
【請求項３】
請求項１または２に記載の安全装置において、前記ケーシングは、開放した下方端部および開放した上方端部を有するスリーブと、およびこのスリーブの前記開放した上方端部から突出するフラップ部材と、を有するものとし、このフラップ部材は、使用にあたり、前記スリーブの開放した上方端部を越えて折り畳まれる構成とした安全装置。
【請求項４】
請求項３に記載の安全装置において、前記スリーブをほぼ円筒形状とし、使用にあたり、シートベルトバックル上に装着する構成とした、安全装置。
【請求項５】
請求項３または４に記載の安全装置において、前記スリーブは、使用にあたり、シートベルトバックルを包囲するよう構成した細長い部分により形成した、安全装置。
【請求項６】
請求項５に記載の安全装置において、細長い部分の互いに対向する側方部分に、一般的にそれぞれに対応するファスナを設けた、安全装置。
【請求項７】
請求項６に記載の安全装置において、前記細長い部分は、シートベルトバックルを包囲する際に、細長い部分の互いに対向する側方部分を対応のファスナで互いに結合し得るよう互いに十分に近接配置した、安全装置。
【請求項８】
請求項６または７に記載の安全装置において、前記ファスナは、細長い部分の対向する側方部分は、例えばシートベルトバックルのリリースボタンに即座にアクセスして、シートベルトを分離することが必要のなる緊急事態の場合に、互いに容易に分離できるタイプを選択した、安全装置。
【請求項９】
請求項３〜８のいずれか一項に記載の安全装置において、前記開孔は、前記フラップ部材に配置したスリットまたは溝孔により構成した、安全装置。
【請求項１０】
請求項９に記載の安全装置において、スリットまたは溝孔は、インサートを受容するため、フラップ部材に置いて横方向に、配置した、安全装置。
【請求項１１】
請求項３〜８のいずれか一項に記載の安全装置において、前記開孔は、前記フラップ部材とスリーブの開放した上方端部の対応する端縁間に生ずる隙間により構成した、安全装置。
【請求項１２】
請求項１１に記載の安全装置において、前記フラップ部材に、互いに離れた１対のタブ部材を設け、前記インサートは、これら互いに離れたタブ部材と前記スリーブの開放した上方端部との間に生ずる隙間に受容するよう構成した、安全装置。
【請求項１３】
請求項３〜１２のいずれか一項に記載の安全装置において、前記フラップ部材に、前記スリーブの開放した上方端部のフラップ部材を固定するファスナを設けた、安全装置。
【請求項１４】
請求項１２または１３に記載の安全装置において、前記タブ部材の各々に、各タブ部材を前記スリーブの開放した上方端部の上に固定するファスナを設けた、安全装置。
【請求項１５】
請求項１３または１４に記載の安全装置において、ファスナは、迅速釈放ファスナとした、安全装置。
【請求項１６】
請求項３〜１５のいずれか一項に記載の安全装置において、前記フラップ部材に、補強部材を設け、この補強部材は、前記フラップ部材の上面および／または下面に隣接して配置し、使用にあたりリリースボタンの近傍に位置するようにした、安全装置。
【請求項１７】
請求項３〜１６のいずれか一項に記載の安全装置において、前記フラップ部材に、両側の側方に対向するウイング部を設け、これらウイング部は、使用にあたり、フラップ部材を前記スリーブの上方端部上に折り畳むときに、前記シートベルトバックルの周りにお互いに接近するよう折り畳まれるよう構成した安全装置。
【請求項１８】
請求項１または２に記載の安全装置において、前記ケーシングは、シートベルトバックルの周りに折り畳むよう構成した柔軟なシートにより構成し、このシートの端縁間にインサートを受容する開孔を生ずる構成とした、安全装置。
【請求項１９】
請求項１または２に記載の安全装置において、ケーシングを、シートベルトバックルの周りに折り畳むよう構成される柔軟なシートであって、インサートを受容するよう構成される溝孔またはスリットを有している柔軟なシートにより構成した、安全装置。
【請求項２０】
請求項１８または１９に記載の安全装置において、前記柔軟なシートに、両側の側方に対向するウイング部を設け、これらウイング部は、使用にあたり、互いに接近するよう折り畳み、これにより、シートベルトバックルの周りにほぼスリーブを形成するよう構成し、さらに、前記柔軟なシートにフラップ部材を設け、このフラップ部材は、使用にあたり、生じたスリーブの開放した上方端部の上に折り畳み、これによりほぼシートベルトバックルを包囲するよう構成した、安全装置。
【請求項２１】
請求項１８〜２０のいずれか一項に記載の安全装置において、柔軟なシートを、所望の形状に容易に曲げることができて、前記の所望の形状を保持することができる柔軟な材料で形成した、安全装置。
【請求項２２】
シートベルトバックル用安全装置のネットであって、使用にあたり、シートベルトバックルのリリースボタンが押されて、これによりシートベルトストラップに連結したインサートが離脱するのを防止よう構成した該安全装置のネットにおいて、
細長い部分およびこの細長い部分から突出するフラップ部材を備え、これら細長い部分およびフラップ部材は、使用にあたり、折り畳んでシートベルトバックルのためのケーシングを形成する構成とし、ケーシングにはインサートを受容する開孔を設けたことを特徴とするシートベルトバックル用安全装置のネット。
【請求項２３】
請求項２２に記載のネットにおいて、前記開孔を、前記フラップ部材に形成したスリットまたは溝孔としたネット。
【請求項２４】
請求項２３に記載のネットにおいて、前記スリットまたは溝孔を、前記フラップ部材に横方向に配置した、ネット。
【請求項２５】
請求項２２〜２４のいずれか一項に記載のネットにおいて、前記細長い部分は、使用にあたり、前記スリーブに開放した下方端部および開放した上方端部を形成し、これによりシートベルトバックルのためのケーシングを形成するように、シートベルトバックルの周りに折り畳むように構成した、ネット。
【請求項２６】
請求項２２〜２５のいずれか一項に記載のネットにおいて、前記フラップ部材に、このフラップ部材を前記スリーブの上方端部上で保持するファスナを設けた、ネット。
【請求項２７】
請求項２２〜２６のいずれか一項に記載のネットにおいて、ネットのフラップ部材に、両側の側方に対向するウイング部設け、これらウイング部は、互いに接近するよう、フラップ部材が前記スリーブの開放した上方端部を折り畳むときにシートベルトバックルの周りに折り畳まれるよう構成した、ネット。
【請求項２８】
請求項２７に記載のネットにおいて、前記両側の側方に対向するウイング部に、ファスナを設け、前記ウイング部を前記ケーシングのスリーブ外面に配置するとき、対応するファスナが互いに係合するものとしたネット。
【請求項２９】
シートベルトバックルのリリースボタンが押されて、これによりシートベルトストラップに連結したインサートが離脱するのを防止する方法において、シートベルトバックル周りに、前記インサートを受容する開孔を有するケーシングを装着はするステップを有することを特徴とするインサート離脱防止方法。
【発明の詳細な説明】
【技術分野】
【０００１】
本発明は、シートベルトバックル用安全装置、とくに、シートベルトバックルのリリースボタンが押し下を防止するよう構成した安全装置に関する。
【背景技術】
【０００２】
多くの国では、車両走行中に、一般的には車両の後部座席に取り付けたチャイルド安全シートに、乳児および幼児をストラップ固定すべきとの道路保安規則を定めている。
【０００３】
車両の後部座席にチャイルド安全シートを設置し、また確実に取付けを行うことは、予め車両に取り付けられているシートベルトとチャイルド安全シートとの係合を伴う。
【０００４】
チャイルド安全シートを固定するシートベルトに関連するシートベルトバックルのリリースボタンが押された場合、チャイルド安全シートの確実な取付けが損なわれる。残念なことに、幼児は、このリリースボタンを押す可能性がある。さらにまた、不慮に、リリースボタンに接触して、ボタンを押すことがあり、チャイルド安全シートの安全性を損なう場合がある。
【発明の開示】
【発明が解決しようとする課題】
【０００５】
本発明の課題は、上述の欠点の少なくとも一部を解決するにある。本明細書中、従来技術の使用および刊行物を参照するが、これらのいずれもが、オーストラリア国または他のいかなる国にもおいて、当業界の一般共通知識の一部をなすものであるとの承認を行うものではないと理解されたい。
【課題を解決するための手段】
【０００６】
本発明の一態様において、使用にあたり、シートベルトバックルのリリースボタンが押されて、このことによりシートベルトストラップに連結したインサートが離脱するのを防止するよう構成したシートベルトバックル用安全装置は、シートベルトバックル用のケーシングを有し、このケーシングにはインサートを受容する開孔を設けたことを特徴とする。
【発明を実施するための最良の形態】
【０００７】
緊急事態の場合には、とくに車両事故の直後に、リリースボタンを押して、シートベルトバックルからシートベルトストラップのインサートを離脱することは、急務である。したがって、安全装置のケーシングは、リリースボタンに容易にアクセスできるよう意図的に変形可能にする。
【０００８】
本発明の一実施形態において、ケーシングは、開放した下方端部および開放した上方端部を有するスリーブと、および、このスリーブの開放した上方端部から突出するフラップ部材と、を有するものとし、このフラップ部材は、使用にあたり、前記スリーブの開放した上方端部を越えて折り畳まれる構成とする。ある実施形態において、前記スリーブをほぼ円筒形状とし、使用にあたり、シートベルトバックル上に装着する構成とする。
【０００９】
代替的な実施形態においては、前記スリーブは、使用にあたり、シートベルトバックルを包囲するよう構成した細長い部分により形成する。細長い部分の互いに対向する側方部分に、一般的にそれぞれに対応するファスナを設ける。細長い部分は、シートベルトバックルを包囲する際に、細長い部分の互いに対向する側方部分を対応のファスナで互いに結合し得るよう互いに十分に近接配置する。ファスナは、細長い部分の対向する側方部分は、例えばシートベルトバックルのリリースボタンに即座にアクセスして、シートベルトを分離することが必要のなる緊急事態の場合に、互いに容易に分離できるタイプを選択する。この種のファスナの適切な例としては、ジッパー、フックおよびループ式の固定材料、ボタンおよび対応するボタン穴、スナップファスナ、フックおよびアイがあるが、これらに限定するものではない。
【００１０】
ある実施形態において、開孔は、前記フラップ部材に配置したスリットまたは溝孔により構成する。一般的に、スリットまたは溝孔は、インサートを受容するため、フラップ部材に置いて横方向に、配置する。
【００１１】
代替的実施形態においては、開孔は、前記フラップ部材とスリーブの開放した上方端部の対応する端縁間に生ずる隙間により構成する。他の実施形態においては、フラップ部材に、互いに離れた１対のタブ部材を設け、前記インサートは、これら互いに離れたタブ部材と前記スリーブの開放した上方端部との間に生ずる隙間に受容するよう構成する。
【００１２】
いくつかの実施形態においては、フラップ部材に、前記スリーブの開放した上方端部のフラップ部材を固定するファスナを設ける。ファスナは、フラップ部材または各々のタブ部材が、スリーブの上方端部から取り外すことができ、それにより必要な際には、シートベルトのリリースボタンへの迅速な接触をもたらすように、素早く釈放できるタイプとすることができる。この種のファスナの適切な例としては、フックおよびループ式の固定材料、スナップ、フックおよびアイがあるが、これに限定するものではない。
【００１３】
ある実施形態においては、フラップ部材に、補強部材を設け、この補強部材は、前記フラップ部材の上面および／または下面に隣接して配置し、使用にあたりリリースボタンの近傍に位置するようにした。補強部材の目的は、その折り畳み易さを損なうことがないようにすることと同時に、リリースボタンのアクセスに対するバリヤをもたらし、フラップ部材にさらに剛性を与えることである。
【００１４】
さらに他の実施形態において、フラップ部材に、両側の側方に対向するウイング部を設け、これらウイング部は、使用にあたり、フラップ部材を前記スリーブの上方端部上に折り畳むときに、前記シートベルトバックルの周りにお互いに接近するよう折り畳まれるよう構成する。両側側方に対向するウイング部には、ファスナ、例えばケーシングのスリーブの外面に配置される、対応するファスナを係合するフックおよびループ材料を設けることができる。
【００１５】
代替的実施形態においては、ケーシングは、シートベルトバックルの周りに折り畳むよう構成した柔軟なシートにより構成し、このシートの端縁間にインサートを受容する開孔を生ずる構成とする。
【００１６】
さらに他の実施形態においては、ケーシングを、シートベルトバックルの周りに折り畳むよう構成される柔軟なシートであって、インサートを受容するよう構成される溝孔またはスリットを有している柔軟なシートにより構成する。
【００１７】
一般的に、柔軟なシートに、両側の側方に対向するウイング部を設け、これらウイング部は、使用にあたり、互いに接近するよう折り畳み、これにより、シートベルトバックルの周りにほぼスリーブを形成するよう構成し、さらに、前記柔軟なシートにフラップ部材を設け、このフラップ部材は、使用にあたり、生じたスリーブの開放した上方端部の上に折り畳み、これによりほぼシートベルトバックルを包囲するよう構成する。
【００１８】
望ましくは、柔軟なシートを、所望の形状に容易に曲げることができて、前記の所望の形状を保持することができる柔軟な材料で形成する。柔軟な材料の適切な例としては、成形可能なプラスチック材、成形可能な合成ゴム、成形可能な複合材料、展性の金属または展性の合金材料（例えばワイヤ・メッシュ材料）があるが、これに限定するものではない。
【００１９】
本発明の他の実施形態においては、シートベルトバックル用安全装置のネットであって、使用にあたり、シートベルトバックルのリリースボタンが押されて、これによりシートベルトストラップに連結したインサートが離脱するのを防止よう構成した該安全装置のネットにおいて、
細長い部分およびこの細長い部分から突出するフラップ部材を備え、これら細長い部分およびフラップ部材は、使用にあたり、折り畳んでシートベルトバックルのためのケーシングを形成する構成とし、ケーシングにはインサートを受容する開孔を設けたことを特徴とする。
【００２０】
一実施形態において、開孔を、前記フラップ部材に形成したスリットまたは溝孔とする。代表的には、スリットまたは溝孔をフラップ部材に横方向に配置する。
【００２１】
本発明の一実施形態において、細長い部分は、使用にあたり、前記スリーブに開放した下方端部および開放した上方端部を形成し、これによりシートベルトバックルのためのケーシングを形成するように、シートベルトバックルの周りに折り畳むように構成する。フラップ部材に、このフラップ部材を前記スリーブの上方端部上で保持するファスナを設ける。
一般的に、細長い部分には、それぞれ対応するファスナを設ける。
【００２２】
本発明の一実施形態においては、ネットのフラップ部材に、両側の側方に対向するウイング部設け、これらウイング部は、互いに接近するよう、フラップ部材が前記スリーブの開放した上方端部を折り畳むときにシートベルトバックルの周りに折り畳まれるよう構成する。両側の側方に対向するウイング部にファスナ、例えば、フックおよびループ材料を設け、前記ウイング部を前記ケーシングのスリーブ外面に配置するとき、対応するファスナが互いに係合するものとする。
【００２３】
本発明の他の態様は、シートベルトバックルのリリースボタンが押されて、これによりシートベルトストラップに連結したインサートが離脱するのを防止する方法において、シートベルトバックル周りに、前記インサートを受容する開孔を有するケーシングを装着はするステップを有することを特徴とする。
【００２４】
本発明の説明および請求項において、文脈で規定する以外は、もしくは語または必要な意味を言い表す場合を除いて、「有する」もしくは「備える」「設ける」のようなバリエーションは包括的な意味において使用し、すなわち、各種実施形態において更なる特徴の存在または付加を除外するのではなく、記載する特徴の存在を特定するために、用いられるものである。
【００２５】
本発明の全ての態様を組み込んでいる、好適な実施例を、以下に添付図面につき説明する。
【実施例】
【００２６】
本発明の好ましい実施例を説明する前に、本発明は本明細書に記載する特定の材料に限定するものではなく、様々な材料を使用できるものと理解されたい。また、本明細書において使用する用語は、具体例を記載するためであって、いかなる形であれ本発明の範囲を制限することを意図しないと理解されたい。文脈において明示しない限り、本明細書において使用する、単数形の「ａ」「ａｎ」そして「ｔｈｅ」は、複数の場合もあり得る点に留意されたい。定義しない限り、本明細書において用いられる全ての専門的また科学的な用語は、本発明が属する技術分野における通常の知識を有する当業者にとっては、共通に理解されているものと、同じ意味を有する。
【００２７】
類似部分には類似の符号を付した添付図面につき説明すると、使用に際して、シートベルトバックル１２０のリリースボタン１２２が押されて、それによりシートベルトストラップ１１０に連結したインサート１１２が離脱するのを防止するために、シートベルトバックル１２０のための安全装置１０を設ける。
【００２８】
安全装置１０は、シートベルトバックル１２０の周りに配置するケーシング１２を有し、このケーシング１２にはインサート１１２を収容する開孔３０を設ける。このケーシング２０は、開放した下方端部２１と、開放した上方端部２３とを有するスリーブ２２により構成し、上方端部２３にフラップ部材２４を設ける。
【００２９】
図１は、図３に示す安全装置１０に対応するネット７０を示す。ネット７０は、安全装置１０となるように容易に折り畳むことができる丈夫な織物の平坦シートである。この種の丈夫な織物の適切な実施例としては、ネオプレン、ビニール製織物、上張り織物、革および丈夫なデニムがあるが、これに限定されるものではない。ネット７０は、第１側面７２および第２側面７４を有する。
【００３０】
ネット７０は、細長部分７６およびこの細長部分７６の上側辺７１から突出するフラップ部材２４を有する。ネット７０のフラップ部材２４には、遊端７５から突出する、両側方に対向するウイング部分７３ａ，７３ｂを設ける。
【００３１】
細長部分７６、および両側方に対向するウイング部分７３ａ，７３ｂには、それぞれ、ファスナ８０ａ，８０ｂを設け、これらファスナの各々は、例えば、フックおよびループ材料の一部により構成する。一般的に、ファスナ８０ｂは、両側方に対向するウイング部分７３ａ，７３ｂ間に延在し、また、ネット７０の第２側面７４に、縫い合わせる、または熱的に溶着するとともに、ファスナ８０ａは、ほぼ細長部分７６の長さに沿って延在してネット７０の第１側面７２に縫い合わせる、または熱的に溶着する。ファスナ８０ａ，８０ｂは、後述するように互いに係合するものを選択する。
【００３２】
フラップ部材２４には、スリットまたは溝孔３３を設ける。代表的には、スリットまたは溝孔３３は、フラップ部材２４に横方向に、配置する。
【００３３】
フラップ部材２４には、さらに、ネット７０の第１側面７２に連続するよう配置した補強部材７７を設ける。一般的に、補強部材７７は、ネット７０の第１側面７２に縫合する、または熱的に溶着する。補強部材７７は、プラスチック材料、例えばポリプロピレンのシートで形成する。
【００３４】
細長部分７６は、使用に際して、シートベルトバックル１２０の周囲に折り畳み、それにより細長部分７６の第２側面７４がシートベルトバックルに隣接し、図２に示すように、スリーブ２２が開放した下方端部２１および開放した上方端部２３を生ずるように構成する。このようにして、ファスナ８０ａは、スリーブ２２の外向きの表面に露出する。
【００３５】
フラップ部材２４は、使用に際して、スリーブ２２の開放した上方端部２３の上に折り畳み、両側方に対向するウイング部分７３ａ，７３ｂもスリーブ２２の周囲に折り畳み、これによりシートベルトバックル１２０のためのケーシング１２を形成するように構成する。両側方に対向するウイング部分７３ａ，７３ｂの第１側面７２上のファスナ８０ｂは、スリーブ２２の外向きの表面に露出するファスナ８０ａに係合するように構成する。
【００３６】
このように形成したスリーブ２２は、シートベルトバックル１２０およびリリースボタン１２２がスリーブ２２内に配置されるまで、シートベルトバックル１２０上に装着することができる。つぎに、シートベルトストラップ１１０のインサート１１２を、フラップ部材２４のスリット３３に、そして、シートベルトバックル１２０に挿入する。
【００３７】
図４には、本発明の第２実施例を示す。この実施例において、ケーシング２０は、開放した下方端部２１と、フラップ部材２４を設けた開放した上方端部23を有しているスリーブ22により構成する。
【００３８】
スリーブ２２およびフラップ部材２４は、所望の形状に容易に折り畳むことができ、所望の形状をほぼ保持することができる丈夫な織物で形成することができる。この種の丈夫な織物の適切な材料としては、ネオプレン、ビニール製織物、上張り織物、革および丈夫なデニムがあるが、これに限定するものではない。
【００３９】
図４に示すように、スリーブ２２およびその開放した下方端部２１は、シートベルトバックル１２０およびリリースボタン１２２上に装着できるように、十分に幅広とする。
【００４０】
代表的には、スリーブ２２は、円筒形状とする。スリーブ２２は、縦の縫い目２８を有する一体円筒形スリーブとして形成する、または、両側の側方縁縁または側方部分に、実質的に側方縁縁もしくは側方部分の長さに沿って延びている対応するファスナを設けた細長部分として形成する。この種のファスナの適切な例としては、これに限定されるものではないが、ジッパー、フックおよびループによる固定材料、ボタンまたはホックがあり、これらファスナにより互いに対向する側方縁縁または側方部分を結合し、それによって、縦継ぎ目２８を有する筒状スリーブを形成する。望ましくは、ファスナのタイプは、リリースボタン１２２への即座のアクセスが要求される場合、例えば緊急時に、縦継ぎ目28を確実に破って開けられることができるものを選択する。代案として、縦継ぎ目２８は、縫合する、または熱的に溶着してもよい。
【００４１】
フラップ部材２４はスリーブ２２の開放した上方端部23の後方側辺２５から、および突出させる。フラップ部材２４はほぼ矩形とし、また、スリーブ２０の開放した上方端部２３の前方側辺２７上を通過して折り畳み、これによって、シートベルトバックル１２０を実質的に覆うよう構成する。
【００４２】
望ましくは、フラップ部材２４には、スリーブ２２の開放した上方端部２３の前方側辺２７上を通過するフラップ部材２４を固定するため、ファスナ２６を設ける。相互作用するファスナを、スリーブ２２の上方端部２３の近傍の適当な位置に配置するものと、理解されたい。ファスナ２６は、フラップ部材２４をスリーブ２２の開いた上方端部２３から分離し、これにより、必要の際には、シートベルトバックル１２０のリリースボタン１２２への迅速にアクセスできるように即座に釈放できるタイプとする。ファスナ２６の適切な例としては、フックおよびループによる固定材料、または押し込みスタッドまたは、適切な任意の迅速釈放ファスナがあるが、これに限定されるものではない。
【００４３】
フラップ部材２４には、インサート１１２を受容するために配置したスリット３３を設ける。フラップ部材２４を、スリーブ２０の開放した上方端部２３の前方側辺２７に通過させて折り畳むときに、隙間３１がフラップ部材２４の側方端縁２９とスリーブ２２の開放した上方端部23との間に生ずることは、明白である。代替的実施例では、インサート１１２をシートベルトバックル１２０に挿入するとき、隙間３１はシートベルトストラップ１１０およびインサート１１２を受容するよう構成する。
【００４４】
フラップ部材２４には、さらに、フラップ部材２４の下面に隣接して配置した補強部材（図示せず）を設ける。一般的に、補強部材は、フラップ部材２４の下面に縫合する、または、熱的に溶着する。補強部材は、プラスチック材料、例えばポリプロピレン、で形成することができる。補強部材の目的は、その折り畳み易さそれほど犠牲にすることなく、フラップ部材２４に付加的な剛性を与えるとともに、リリースボタン１２２へのアクセスに対する付加的なバリヤをもたらすことである。
【００４５】
同一部分に同一符号を付して示す図５につき説明すると、フラップ部材２４には、互いに離れる１対のタブ部材４０を設ける。この実施例においては、シートベルトストラップ１１０およびインサート１１２は、互いに離れるタブ部材４０間に生ずる隙間３５に受容されるよう構成する。
【００４６】
望ましくは、各タブ部材４０には、ファスナ２６を設け、スリーブ２２の開放した上方端部２３上で、フラップ部材２４およびタブ部材40を固定するようにする。
【００４７】
図４または図５につき説明すると、使用に際して、シートベルトバックル１２０およびリリースボタン１２２がスリーブ２２内に収納されるまで、スリーブ２２をシートベルトバックル１２０上に装着する。フラップ部材２４は、スリーブ２２の開放した上方端部23の前方側辺上に折り畳み、それぞれのファスナ２６を係合して、閉じることによって、固定する。この後、シートベルトストラップ１１０のインサート１１２を、フラップ部材２４のスリット３３に、そして、シートベルトバックル１２０に挿入する。
【００４８】
代案として、スリーブ２２をシートベルトバックル１２０上に装着した後、シートベルトストラップ１１０のインサート１１２をシートベルトバックル１２０に挿入する。つぎに、フラップ部材２４を、スリーブ２２の開放した上方端部２３の前方側辺上で折り畳み、それぞれのファスナ２６を係合して、閉じることによって、固定する。このような方法で、シートベルトストラップ１１０はスリーブ２２の開放した上方端部２３とフラップ部材２４の側方端縁と間の隙間３１、または、互いに離れた２個のタブ部材４０間の隙間３３に位置する。
【００４９】
シートベルトバックル１２０は、ケーシング２０でほぼ覆われているので、シートベルトバックル１２０のリリースボタン１２２へのアクセスは妨げられる。
【００５０】
シートベルトバックル１２０およびリリースボタン１２２への素早いアクセスが要求される場合には、ファスナ２６は、フラップ部材２４上、スリーブ２２の上方端部２３の近傍のそれぞれのファスナ26を裂くまたはこじあけ、それによりケーシング２０を変形することによって外すことができる。代案として、縦継ぎ目28がファスナと類似したタイプで結合されている場合、縦継ぎ目28をまた、裂くかまたはこじあけることで、リリースボタン１２２への素早いアクセスを得ることができる。
【００５１】
図６には、本発明の別の実施例を示す。この特定の実施例では、ケーシング２０は、シートベルトバックル１２０周囲で折り畳むよう構成される柔軟なシート５０を有し、それぞれの端縁間のギャップ３０が、シートベルトストラップ１１０およびインサート１１２を受容する開孔を形成する。
【００５２】
代案として、柔軟なシート５０には、シートベルトストラップおよびインサート１１２を受容するように構成した、スリットまたは溝孔（図示せず）を設けることができる。
【００５３】
柔軟なシート５０は、お互いに向かって折り畳み、それにより実質的にシートベルトバックル１２０の周囲にスリーブ２２′を形成する一組の両側側方に対向するウイング部５２、およびスリーブ２２′の開放した上方端部２３′上で折り畳み、それにより図６に示すようにほぼシートベルトバックル１２０を覆うように配置したフラップ部材５４を設ける。
【００５４】
望ましくは、柔軟なシート５０は、所望の形状に容易に曲げられることができて、この所望の形状を保持することができる柔軟な材料から形成する。柔軟な材料の適切な例としては、成形可能なプラスチック材、成形可能な合成ゴム、成形可能な複合材料、展性のある金属または展性のある合金材料、例えばワイヤ・メッシュ材料があるが、これに限定されるものではない。
【００５５】
シートベルトバックル１２０およびリリースボタン１２２への素早いアクセスが必要である場合、両側側方に対向するウイング５２および／または柔軟なシート５０のフラップ部材５４を、強制的にこじ開けるか、または後方に折り返し、それによって、ケーシング２０を変形させてもよい。
【００５６】
当業者には、基本的な発明の概念から逸脱することなく、上述した実施例に加えて、多数の改変および変更態様を提案できるであろう。全てのこの種の改変および変更態様は本発明の範囲内であるとみなすことができ、そして、これらは前述の説明から決定されるであろう。
【図面の簡単な説明】
【００５７】
【図１】本発明シートベルトバックル用安全装置のネットの実施例を示す説明図である。
【図２】シートベルトバックル用安全装置を形成するよう折り曲げる過程における、図１のネットを示す説明図である。
【図３】図１および図２に示すネットを折り曲げることによって形成するシートベルトバックル用安全装置の実施例を示す説明図である。
【図４】シートベルトバックル用安全装置の第２実施例を示す説明図である。
【図５】シートベルトバックル用安全装置の第３実施例を示す説明図である。
【図６】そして、シートベルトバックル用安全装置の第４実施態様を示す説明図である。
【図１】
2008540220.tif 000003
【図２】
2008540220.tif 000004
【図３】
2008540220.tif 000005
【図４】
2008540220.tif 000006
【図５】
2008540220.tif 000007
【図６】
2008540220.tif 000008
【手続補正書】
【提出日】平成20年1月10日(2008.1.10)
【手続補正１】
【補正対象書類名】特許請求の範囲
【補正対象項目名】全文
【補正方法】変更
【補正の内容】
【特許請求の範囲】
【請求項１】
使用にあたり、シートベルトバックルのリリースボタンが押されて、このことによりシートベルトストラップに連結したインサートが離脱するのを防止するよう構成した、シートベルトバックル用安全装置において、前記シートベルトバックル用のケーシングを有し、このケーシングは、前記シートベルトバックルの周りに折り畳むよう構成した互いに側方に対向する部分を有する細長い部分と、この細長い部分の側辺から突出するフラップ部材と、前記インサートを受容する開孔と、を有する折り畳み可能なシートから形成したことを特徴とする、安全装置。
【請求項２】
請求項１に記載の安全装置において、前記ケーシングは、折り畳んだ形態と、折り畳まない形態との間で変形可能にした、安全装置。
【請求項３】
請求項１または２に記載の安全装置において、前記ケーシングは、開放した下方端部および開放した上方端部を有するスリーブと、およびこのスリーブの前記開放した上方端部から突出するフラップ部材と、を有するものとし、このフラップ部材は、使用にあたり、前記スリーブの開放した上方端部を越えて折り畳まれる構成とした安全装置。
【請求項４】
請求項１〜３のうちいずれか一項に記載の安全装置において、前記細長い部分の互いに対向する側方部分を対応の釈放可能なファスナで互いに結合し得るよう互いに十分に近接配置した、安全装置。
【請求項５】
請求項４に記載の安全装置において、前記ファスナは、細長い部分の対向する側方部分を互いに容易に分離できるタイプを選択した、安全装置。
【請求項６】
請求項１〜５のいずれか一項に記載の安全装置において、前記開孔は、前記フラップ部材に配置したスリットまたは溝孔により構成した、安全装置。
【請求項７】
請求項６に記載の安全装置において、スリットまたは溝孔は、フラップ部材に置いて横方向に配置した、安全装置。
【請求項８】
請求項１〜５のうちいずれか一項に記載の安全装置において、前記フラップ部材に、互いに離れた１対のタブ部材を設け、前記インサートは、これら互いに離れたタブ部材と折り畳んだ形態における前記細長い部分の端縁との間に生ずる隙間に受容するよう構成した、安全装置。
【請求項９】
各タブ部材に、タブ部材を折り畳んだ細長い部分上に固定するファスナを設けた請求項８記載の安全装置。
【請求項１０】
前記フラップ部材に、折り畳んだフラップ部材を折り畳んだ細長い部分上に固定するファスナを設けた請求項１〜７のうちいずれか一項に記載の安全装置。
【請求項１１】
請求項１〜１０のいずれか一項に記載の安全装置において、前記フラップ部材に、補強部材を設け、この補強部材は、使用にあたりリリースボタンの近傍に位置するようにした、安全装置。
【請求項１２】
請求項１〜７，のいずれか一項、または請求項１０もしくは１１に記載の安全装置において、前記フラップ部材に、両側の側方に対向するウイング部を設け、これらウイング部は、使用にあたり、フラップ部材を折り畳んだ細長い部分上に折り畳むときに、前記シートベルトバックルの周りにお互いに接近するよう折り畳まれるよう構成した安全装置。
【請求項１３】
請求項１〜３のうちいずれか一項に記載の安全装置において、前記細長い部分およびフラップ部材は、所望の形状に折り畳むことができ、かつこの所望形状を保持できる柔軟なシートにより形成した、安全装置。
【請求項１４】
シートベルトバックル用安全装置のネットであって、使用にあたり、シートベルトバックルのリリースボタンが押されて、これによりシートベルトストラップに連結したインサートが離脱するのを防止よう構成した該安全装置のネットにおいて、
細長い部分およびこの細長い部分から突出するフラップ部材を備え、これら細長い部分およびフラップ部材は、使用にあたり、折り畳んでシートベルトバックルのためのケーシングを形成する構成とし、ケーシングにはインサートを受容する開孔を設けたことを特徴とするシートベルトバックル用安全装置のネット。
【請求項１５】
請求項１４に記載のネットにおいて、前記開孔を、前記フラップ部材に形成したスリットまたは溝孔としたネット。
【請求項１６】
請求項１５に記載のネットにおいて、前記スリットまたは溝孔を、前記フラップ部材に横方向に配置した、ネット。
【請求項１７】
請求項１４〜１６のいずれか一項に記載のネットにおいて、前記細長い部分は、使用にあたり、前記スリーブに開放した下方端部および開放した上方端部を形成し、これによりシートベルトバックルのためのケーシングを形成するように、シートベルトバックルの周りに折り畳むように構成した、ネット。
【請求項１８】
請求項１４〜１７のいずれか一項に記載のネットにおいて、前記フラップ部材に、このフラップ部材を前記スリーブの上方端部上で保持するファスナを設けた、ネット。
【請求項１９】
請求項１４〜１８のいずれか一項に記載のネットにおいて、ネットのフラップ部材に、両側の側方に対向するウイング部設け、これらウイング部は、互いに接近するよう、フラップ部材が前記スリーブの開放した上方端部を折り畳むときにシートベルトバックルの周りに折り畳まれるよう構成した、ネット。
【請求項２０】
請求項１９に記載のネットにおいて、前記両側の側方に対向するウイング部に、ファスナを設け、前記ウイング部を前記ケーシングのスリーブ外面に配置するとき、対応するファスナが互いに係合するものとしたネット。
【請求項２１】
請求項１４〜２０のうちいずれか一項に記載のネットにおいて、前記フラップ部材に補強部材を設け、この補強部材は、使用にあたりリリースボタンの近傍に位置するよう設けたネット。
【国際調査報告】
2008540220.tif 000009
2008540220.tif 000010
2008540220.tif 000011